(57)【要約】【課題】補助電源の充電を、省電力化を図りつつ行うことができる画像形成装置を提供する。【解決手段】画像形成装置は、商用電源５００から供給される電力により内部電圧を生成する第１電源部１０１と、充電可能な第２電源部１０２と、第１電源部１０１及び第２電源部１０２のいずれかから給電されて、画像形成処理を行うための負荷の駆動を行う駆動部４００と、省電力モードのときに第２電源部１０２へ充電を行うか否かの設定を表す設定情報を保存するＲＡＭ１１８と、省電力モードへ移行するときに第２電源部１０２が充電中であれば、設定情報に応じて第２電源部１０２への充電を継続又は終了させる制御部３００と、を備える。【選択図】図５
2018182843.tif 000002
【特許請求の範囲】
【請求項１】
商用電源から供給される電力により直流電圧を生成する第１電源手段と、
充電可能な第２電源手段と、
前記第１電源手段及び前記第２電源手段のいずれかから給電されて、記録材に画像形成を行うための負荷の駆動を行う駆動手段と、
前記駆動手段への給電を停止する給電停止状態のときに前記第２電源手段へ充電を行うか否かの設定を表す設定情報を保存する保存手段と、
前記給電停止状態へ移行するときに前記第２電源手段が充電中であれば、前記保存手段に保存される前記設定情報に応じて、前記第２電源手段への充電を継続又は終了させる制御手段と、を備えることを特徴とする、
画像形成装置。
【請求項２】
前記第２電源手段の電池残量を監視する監視手段をさらに備えており、
前記制御手段は、前記設定情報に応じて前記第２電源手段への充電を継続する場合に、前記監視手段による監視の結果、前記電池残量が所定量以上になれば前記第２電源手段への充電を終了して前記給電停止状態へ移行することを特徴とする、
請求項１記載の画像形成装置。
【請求項３】
前記制御手段は、前記設定情報に応じて前記第２電源手段への充電を終了する場合に、前記監視手段による監視の結果によらず、前記第２電源手段への充電を終了して前記給電停止状態へ移行することを特徴とする、
請求項２記載の画像形成装置。
【請求項４】
熱源により加熱することで前記記録材に画像を定着させる定着手段と、
前記商用電源から供給される電力により、前記熱源へ給電する第３電源手段と、をさらに備えており、
前記制御手段は、画像形成開始時に、前記商用電源から前記第１電源手段への電力の供給を遮断し、前記第２電源手段に前記駆動手段への給電を行わせることを特徴とする、
請求項１〜３のいずれか１項記載の画像形成装置。
【請求項５】
前記制御手段は、前記第２電源手段の充電量が前記駆動手段の駆動に不十分な場合に、前記商用電源から前記第１電源手段へ電力を供給させて、前記第１電源手段から前記駆動手段への給電を行わせることを特徴とする、
請求項４記載の画像形成装置。
【請求項６】
前記商用電源から前記第１電源手段への電力の供給経路に設けられる第１切換手段と、
前記第１電源手段で生成された前記直流電圧を前記第２電源手段へ供給する供給経路に設けられる第２切換手段と、をさらに備えており、
前記第１切換手段は、ノーマルクローズのリレーであり、
前記第２切換手段は、前記制御手段により導通が制御され、導通しているときに前記第２電源手段が充電され、遮断しているときに前記第２電源手段が充電されないことを特徴とする、
請求項１〜５のいずれか１項記載の画像形成装置。
【請求項７】
前記設定を行うための設定画面を表示するための表示手段と、
前記設定画面に応じて前記設定を行うための入力手段と、を備えることを特徴とする、
請求項１〜６のいずれか１項記載の画像形成装置。
【請求項８】
商用電源から供給される電力により直流電圧を生成する第１電源手段と、
充電可能な第２電源手段と、
消費電力を削減する電力削減状態のときに前記第２電源手段へ充電を行うか否かの設定を表す設定情報を保存する保存手段と、
前記電力削減状態へ移行するときに前記第２電源手段が充電中であれば、前記保存手段に保存される前記設定情報に応じて、前記第２電源手段への充電を継続又は終了させる制御手段と、を備えることを特徴とする、
電源制御装置。
【発明の詳細な説明】
【技術分野】
【０００１】
本発明は、プリンタ、複写機、複合機等の画像形成装置に関する。
【背景技術】
【０００２】
省エネルギー化の要求の高まりに伴い、各種の電気機器は、様々な省電力化の試みがなされている。例えば、画像形成装置は、待機時に、電力供給を最低限にすることで消費電力を抑制している。この場合、画像形成装置は、最も消費電力の大きい部品、例えば熱源を有する定着器への電力供給を停止する。定着器は、熱源への電力供給が停止されることで温度が低下する。そのために定着器は、待機状態から画像形成を行える状態に復帰する際に、温度上昇のための時間を要する。定着器(熱源)の急速加熱は、供給する電力を増加させることで行われる。この場合、定着器に供給される電力が、商用電源から画像形成装置に供給可能な最大電力（例えば１５００［Ｗ］）を超えないように制御される。
【０００３】
商用電源から画像形成装置に供給可能な最大電力を超えないように定着器に供給する電力を増加する方法として、充放電可能な蓄電池を補助電源に用いる方法がある。特許文献１は、起動時、待機状態からの復帰時、及び通紙開始直後と、定着器の温度が上昇した後とで、電源の供給経路を切り替える画像形成装置を開示する。この画像形成装置は、装置の起動時、待機状態からの復帰時、及び通紙開始直後に、最大電力を定着器の加熱に用い、定着器以外の負荷に対しては補助電源から電力を供給する。定着器の温度維持に必要な電力が下がったら、画像形成装置は、定着器以外の負荷に対しても主電源から電力を供給する。特許文献２は、メインスイッチのオフ時に商用電源により蓄電デバイス（補助電源）を充電する画像形成装置を開示する。
【先行技術文献】
【特許文献】
【０００４】
【特許文献１】特開２００６−３２４２２６号公報
【特許文献２】特開２００８−２３３９１６号公報
【発明の概要】
【発明が解決しようとする課題】
【０００５】
メインスイッチのオフ時に商用電源により補助電源の充電が行われると、次回の画像形成時に定着器の温度を高速に上昇させることができる。しかし、ユーザの意図とは別にメインスイッチのオフ時の省電力化が妨げられる。待機時やスリープ状態時に商用電源により補助電源の充電が行われる場合にも、ユーザの意図とは別に省電力化が妨げられる。
【０００６】
本発明は、上記の問題に鑑み、補助電源の充電を、省電力化を図りつつ行うことができる画像形成装置を提供することを主たる課題とする。
【課題を解決するための手段】
【０００７】
本発明の画像形成装置は、商用電源から供給される電力により直流電圧を生成する第１電源手段と、充電可能な第２電源手段と、前記第１電源手段及び前記第２電源手段のいずれかから給電されて、記録材に画像形成を行うための負荷の駆動を行う駆動手段と、前記駆動手段への給電を停止する給電停止状態のときに前記第２電源手段へ充電を行うか否かの設定を表す設定情報を保存する保存手段と、前記給電停止状態へ移行するときに前記第２電源手段が充電中であれば、前記保存手段に保存される前記設定情報に応じて、前記第２電源手段への充電を継続又は終了させる制御手段と、を備えることを特徴とする。
【発明の効果】
【０００８】
本発明によれば、駆動手段への給電を停止する動作状態のような省電力時に、第２電源手段の充電を行うか否かを設定することができ、充電と省電力とを選択可能として両立を図ることができる。
【図面の簡単な説明】
【０００９】
【図１】画像形成装置の構成図。
【図２】操作部の構成図。
【図３】スリープモード時の設定を行う設定画面の例示図。
【図４】メインスイッチがオフになったときの設定を行う設定画面の例示図。
【図５】制御系統の構成図。
【図６】各切換部及びメインスイッチの導通状態の説明図。
【図７】スリープモードに移行するときの各切換部のタイミングチャート。
【図８】スリープモードに移行するときの各切換部のタイミングチャート。
【図９】各切換部及びメインスイッチの導通状態の説明図。
【図１０】スリープモードに移行するときの処理を表すフローチャート。
【図１１】メインスイッチをオフにしたときの各切換部のタイミングチャート。
【図１２】メインスイッチをオフにしたときの各切換部のタイミングチャート。
【図１３】シャットダウンを行うときの処理を表すフローチャート。
【発明を実施するための形態】
【００１０】
本発明の画像読取装置の実施形態について、図面を参照しながら説明する。
【００１１】
（画像形成装置）
図１は、画像形成装置の構成図である。画像形成装置９００は、第１電源部１０１、第２電源部１０２、メインスイッチ１０７、操作部９２０、画像形成のための構成、及びシート等の記録材９１３に画像を定着させるための定着器９１１を備える。画像形成のための構成は、イエロー、マゼンタ、シアン、ブラックの各色に対応して設けられる４つの作像ユニット及び中間転写ベルト９０６を備える。４つの作像ユニットは、同じ構成である。
【００１２】
例えばイエローの画像を形成する作像ユニットは、感光体９０１ｙ、帯電器９０２ｙ、露光器９０３ｙ、及び現像器９０４ｙを備える。帯電器９０２ｙは、回転する感光体９０１ｙの表面を一様に帯電させる。露光器９０３ｙは、表面が帯電された感光体９０１ｙにレーザ光を照射して、感光体９０１ｙの表面に静電潜像を形成する。現像器９０４ｙは、静電潜像をイエローの現像剤により顕像することで、感光体９０１ｙの表面にイエローの画像を形成する。同様に、現像器９０４ｍにはマゼンタの画像が形成される。現像器９０４ｃにはシアンの画像が形成される。現像器９０４ｋにはブラックの画像が形成される。
【００１３】
各感光体９０１ｙ、９０１ｍ、９０１ｃ、９０１ｋに対向して、中間転写ベルト９０６を挟んだ位置に、一次転写ローラ９０５ｙ、９０５ｍ、９０５ｃ、９０５ｋが設けられる。各一次転写ローラ９０５ｙ、９０５ｍ、９０５ｃ、９０５ｋは、電圧が印加されることで、各感光体９０１ｙ、９０１ｍ、９０１ｃ、９０１ｋに形成された画像を中間転写ベルト９０６に転写させる。画像の転写は、中間転写ベルト９０６の回転に応じて、感光体９０１ｙ、９０１ｍ、９０１ｃ、９０１ｋの各画像が重畳されるように行われる。これにより中間転写ベルト９０６にはフルカラーの画像が形成される。
【００１４】
中間転写ベルト９０６は、回転することで、２次転写内ローラ９０７及び２次転写外ローラ９０８で構成される２次転写部に画像を搬送する。２次転写部には、給紙カセット９１０から記録材９１３が供給される。記録材９１３は、中間転写ベルト９０６に形成された画像が２次転写部へ搬送されるタイミングに合わせて、２次転写部へ搬送される。中間転写ベルト９０６及び記録材９１３は、２次転写部において、２次転写内ローラ９０７及び２次転写外ローラ９０８に挟まれながら搬送される。これにより中間転写ベルト９０６上の画像が記録材９１３に転写される。２次転写部を通過した記録材９１３は定着器９１１へ搬送される。
【００１５】
定着器９１１は、記録材９１３上の画像を定着ヒータ等の熱源により高温で加熱し且つローラにより加圧することで、該画像を記録材９１３に定着させる。画像が定着された記録材９１３は、画像形成装置９００の外部に排出される。
【００１６】
図２は、操作部９２０の構成図である。操作部９２０は、ユーザインタフェースであり、入力部及び出力部を備える。入力部は、例えばキーボタンやタッチパネルである。キーボタンは、スタートキー４０２、ストップキー４０３、テンキー４０４〜４１２、４１４、ＩＤキー４１３、クリアキー４１５、リセットキー４１６、設定キー４１７、節電キー４１８等である。スタートキー４０２は、画像形成動作を開始するためのキーボタンである。ストップキー４０３は、画像形成動作を中断するためのキーボタンである。テンキー４０４〜４１２、４１４は、数値設定等を行うためのキーボタンである。設定キー４１７は、各種の設定を行うためのキーボタンである。節電キー４１８は、画像形成装置９００の動作状態を、通常動作時やスタンバイ時よりも消費電力量が少ない省電力モード（スリープモード）に切り替えるためのキーボタンである。出力部は、本実施形態では表示部４２０である。表示部４２０は、画像の表示の他にタッチパネルとして機能する。図２の例では、表示部４２０にコピー処理時の設定画面が表示される。ユーザは、この設定画面から、表示部４２０のタッチパネル機能やキーボタンの操作により、コピー処理の枚数、サイズ変更、濃度、両面コピー等の設定を行うことができる。
【００１７】
図３は、表示部４２０に表示される、スリープモード時の設定を行う設定画面の例示図である。設定キー４１７が押下されることで、表示部４２０に設定メニューが表示される。ユーザが設定メニューからスリープモード時の動作設定を選択することで、図３の設定画面が表示される。図３の設定画面では、スリープモード時に第２電源部１０２への充電を行うか否かが設定可能である。ユーザが「する」ボタン４５１を選択することで、スリープモード時に第２電源部１０２への充電が行われる。ユーザが「しない」ボタン４５２を選択することで、スリープモード時に第２電源部１０２への充電が行われない。ユーザは、この設定画面によりスリープモード時に第２電源部１０２への充電を行うか否かが選択可能となる。
【００１８】
図４は、表示部４２０に表示される、メインスイッチ１０７がオフになったときの設定を行う設定画面の例示図である。設定キー４１７が押下されることで、表示部４２０に設定メニューが表示される。ユーザが設定メニューからメインスイッチ１０７がオフになったときの動作設定を選択することで、図４の設定画面が表示される。図４の設定画面では、メインスイッチ１０７がオフになったときに第２電源部１０２への充電を行うか否かが設定可能である。ユーザが「する」ボタン４５５を選択することで、メインスイッチ１０７がオフになったときに第２電源部１０２への充電が行われる。ユーザが「しない」ボタン４５６を選択することで、メインスイッチ１０７がオフになったときに第２電源部１０２への充電が行われない。ユーザは、この設定画面によりメインスイッチ１０７がオフになり、シャットダウンを行うときに第２電源部１０２への充電を行うか否かが選択可能となる。
【００１９】
（制御系統）
図５は、画像形成装置９００の動作を制御するための制御系統の構成図である。この制御系統は、第１電源部１０１、第２電源部１０２、及び定着器９１１の定着ヒータ１０５に電力を供給して加熱するための定着電源部１１３、の動作を制御する構成を主に表す。
【００２０】
制御系統は、第１切換部１０３、第２切換部１０４、第３切換部１０８、及び制御部３００を備える。制御部３００は、操作部９２０、定着器９１１、定着電源部１１３、第１電源部１０１、第２電源部１０２、第２切換部１０４、第３切換部１０８、メインスイッチ１０７、駆動部４００に接続される。第１切換部１０３はノーマルクローズのリレーであり、商用電源５００から第１電源部１０１への電力の供給経路に設けられる。そのために、第２電源部１０２の電池残量が無い場合であっても、第１電源部１０１が制御部３００へ給電可能である。第２切換部１０４は、第１電源部１０１から第２電源部１０２への電力の供給経路に設けられる。
【００２１】
第１電源部１０１は、主電源であり、商用電源５００から供給されるＡＣ電圧を画像形成装置９００内で用いる直流電圧（内部電圧と称する）に変換し、制御部３００及び駆動部４００へ供給する。第２電源部１０２は、例えば、リチウムイオン電池等の二次電池や電気二重層キャパシタなどの充電可能な補助電源である。第２電源部１０２は、第１電源部１０１から供給される内部電圧により充電される。第２電源部１０２は、制御部３００及び駆動部４００へ電力を供給可能である。定着電源部１１３は、定着ヒータ１０５を加熱するために設けられる専用電源である。定着電源部１１３は、商用電源５００から供給されるＡＣ電圧に応じた電力を定着ヒータ１０５に供給する。定着電源部１１３は、制御部３００の制御により、スリープモード時のような省電力時には定着ヒータ１０５への電力供給を停止する（給電停止状態）。
【００２２】
メインスイッチ１０７は、画像形成装置９００の主電源のオン、オフを切り替えるためにユーザにより操作される。メインスイッチ１０７は、機械的に電源供給ラインの導通を制御するものではなく、電気的な信号を制御部３００に入力するキーボタンの一種である。
【００２３】
定着器９１１は、定着ヒータ１０５の温度を検知するための温度検知部１１５を備える。温度検知部１１５は、温度の検知結果を制御部３００に入力する。温度検知部１１５は、例えばサーミスタで実現される。駆動部４００は、制御部３００の制御により、画像形成装置９００内のモータ等の画像形成のための負荷の駆動制御を行う。駆動部４００は、第１電源部１０１及び第２電源部１０２のいずれかから電力供給されて動作する。スリープモードのように消費電力を削減する電力削減状態では、駆動部４００への電力供給が停止される。
【００２４】
制御部３００は、ＣＰＵ（Central Processing Unit）１０６、ＲＯＭ（Read Only Memory）１１７、及びＲＡＭ（Random Access Memory）１１８を備えるコンピュータである。ＣＰＵ１０６は、ＲＯＭからコンピュータプログラムを読み込み、ＲＡＭ１１８を作業領域に用いて実行することで、画像形成装置９００の動作を制御する。特に制御部３００は、第１電源部１０１及び第２電源部１０２の動作を制御する電源制御装置として機能する。ＲＡＭ１１８は、図３、図４の設定画面による設定を表す設定情報を保存する。制御部３００は、第４切換部１１４、電池残量監視部１１０、及びＤＣ／ＤＣ変換部１１６を備える。
【００２５】
電池残量監視部１１０は、第２電源部１０２の電池残量（充電状態）を監視する。電池残量監視部１１０は、第２電源部１０２の電池残量をＣＰＵ１０６に通知する。ＤＣ／ＤＣ変換部１１６は、第１電源部１０１及び第２電源部１０２のいずれかから供給される電圧を、ＣＰＵ１０６の動作電圧に変換して、ＣＰＵ１０６に供給する。
【００２６】
図６は、画像形成装置９００の動作状態に応じた各切換部及びメインスイッチ１０７の導通状態を表す。第２切換部１０４、第３切換部１０８、及び第４切換部１１４は、ＣＰＵ１０６により導通制御される。第１切換部１０３は、第２電源部１０２及び第３切換部１０８により導通状態が制御される。
【００２７】
第１切換部１０３がオン（導通）の場合、第１電源部１０１は、商用電源５００から入力されるＡＣ電圧から内部電圧を生成して制御部３００に供給する。第１切換部１０３がオフ（遮断）の場合、第１電源部１０１は、商用電源５００からＡＣ電圧が入力されないために、制御部３００への内部電圧の供給を行わない。
【００２８】
第２切換部１０４がオン（導通）の場合、第２電源部１０２は、第１電源部１０１から出力される内部電圧により充電される。第２切換部１０４がオフ（遮断）の場合、第２電源部１０２は、充電されない。第３切換部１０８がオン（導通）の場合、第１切換部１０３がオンになる。第３切換部１０８がオフ（遮断）の場合、第１切換部１０３がオフになる。第４切換部１１４は、制御部３００への給電が第１電源部１０１及び第２電源部１０２のいずれにより行われるかの切り換えに用いられる。第４切換部１１４がＡ側と導通する場合、第１電源部１０１から制御部３００への給電が行われる。第４切換部１１４がＢ側と導通する場合、第２電源部１０２から制御部３００への給電が行われる。
【００２９】
第２電源部１０２は、プリントスタート直後（画像形成開始時）のように定着器９１１へ多くの電力を供給する必要がある動作状態のときに、第４切換部１１４がＢ側と導通して、制御部３００及び駆動部４００への給電に用いられる。第４切換部１１４は、メインスイッチ１０７がオフのときにもＢ側と導通する。動作状態がスタンバイ、プリント中（画像形成中）、或いはメインスイッチ１０７がオフの場合、第４切換部１１４がＡ側と導通する。この場合、第１電源部１０１が制御部３００及び駆動部４００への給電に用いられる。
【００３０】
ＣＰＵ１０６は、電池残量監視部１１０を用いて第２電源部１０２の電池残量が所定量以下になったと判断した場合に、第２電源部１０２の充電を行う。この場合、ＣＰＵ１０６は第２切換部１０４をオンにして、第１電源部１０１に第２電源部１０２を充電させる。本実施形態では、動作状態がスタンバイのときに第２切換部１０４がオンになり、第２電源部１０２が充電される。他の動作状態では、第２切換部１０４がオフになり、第２電源部１０２が充電されない。
【００３１】
（スリープモード移行時の処理）
図７は、動作状態がスリープモードに移行するときの各切換部のタイミングチャートである。ここでは画像形成装置９００の動作状態がスタンバイであり、第２電源部１０２が充電中である。図３の設定画面により、スリープモード時に第２電源部１０２の充電を行うことが設定されているものとする。操作部９２０から節電キー４１８が押下されたことを示す信号を受信したとき、或いはスタンバイが所定時間経過して自動的に、制御部３００はスタンバイからスリープモードへの移行処理を開始する。
【００３２】
ＣＰＵ１０６は、スリープモードへの移行処理を開始してもスタンバイ時から継続して第２電源部１０２を充電する。つまり第１切換部１０３、第２切換部１０４、第３切換部１０８がオンであり、第４切換部１１４がＡ側と導通する。ＣＰＵ１０６は、電池残量監視部１１０により第２電源部１０２の充電量（電池残量）を監視し、充電量が所定量以上になると第２電源部１０２の充電を終了する。この場合、ＣＰＵ１０６は、第２切換部１０４をオフにする。ＣＰＵ１０６は、これにより消費電力を抑制したスリープモードに移行する。なお、充電量（電池残量）の閾値となる所定量は、第２電源部１０２が制御部３００や駆動部４００を駆動するのに十分な電力量である。
【００３３】
図８は、動作状態がスリープモードに移行するときの各切換部のタイミングチャートである。ここでは画像形成装置９００の動作状態がスタンバイであり、第２電源部１０２が充電中である。図３の設定画面により、スリープモード時に第２電源部１０２の充電を行わないことが設定されているものとする。操作部９２０から節電キー４１８が押下されたことを示す信号を受信したとき、或いはスタンバイが所定時間経過して自動的に、制御部３００はスタンバイからスリープモードへの移行処理を開始する。
【００３４】
ＣＰＵ１０６は、スリープモードへの移行処理を開始すると、電池残量監視部１１０の監視結果によらず、第２電源部１０２の充電を直ちに終了する。つまりＣＰＵ１０６は、第２切換部１０４をオフにする。ここで、次の動作時に第２電源部１０２の充電量（電池残量）が不十分である場合、第２電源部１０２が使用できない。その場合、第２電源部１０２が使用されず、第１電源部１０１が制御部３００へ給電する。図９は、この場合の画像形成装置９００の動作状態に応じた各切換部及びメインスイッチ１０７の導通状態を表す。プリントスタート直後に第１切換部１０３及び第３切換部１０８がオンになり、第２切換部１０４はオフになり、第４切換部１１４がＡ側と導通するために、第１電源部１０１が制御部３００へ給電する。
【００３５】
つまり、第２電源部１０２の充電量が十分であれば、プリントスタート直後に、第２電源部１０２が制御部３００及び駆動部４００への給電を行う。第２電源部１０２の充電量が不十分であれば、プリントスタート直後に、第１電源部１０１が制御部３００及び駆動部４００への給電を行う。プリントスタート直後は、定着ヒータ１０５を急速に加熱する必要があるため、通常は第２電源部１０２が制御部３００及び駆動部４００への給電を行い、商用電源５００からの電力は、定着電源部１１３に供給される。第２電源部１０２の充電量が不十分である場合のみ、プリントスタート直後に第１電源部１０１が制御部３００及び駆動部４００への給電を行うことになる。
【００３６】
図１０は、動作状態がスタンバイからスリープモードに移行するときの処理を表すフローチャートである。
【００３７】
制御部３００は、スタンバイで第２電源部１０２に充電を開始する（Ｓ５０２）。第１切換部１０３、第２切換部１０４、第３切換部１０８がオンになり、第２電源部１０２が充電される。第４切換部１１４がＡ側と導通するために、制御部３００は、第１電源部１０１から給電される。節電キー４１８が押下されるまでスタンバイが継続され、第２電源部１０２が充電される（Ｓ５０３）。節電キー４１８が押下された場合（Ｓ５０３：Y）、制御部３００は、スリープモード時に第２電源部１０２の充電を行うか否かを判断する（Ｓ５０４）。制御部３００は、ＲＡＭ１１８が保存する設定情報を確認してこの判断を行う。
【００３８】
スリープモード時に充電を行う場合（Ｓ５０４：Y）、制御部３００は、第２電源部１０２の充電量（電池残量）が所定量以上になるまで、第２電源部１０２の充電を継続する（Ｓ５０５）。スリープモード時に充電を行わない場合（Ｓ５０４：N）、或いは第２電源部１０２の充電量が所定量以上になった場合（Ｓ５０５：Y）、制御部３００は、第２電源部１０２の充電を終了する（Ｓ５０６）。これにより第２切換部１０４がオフになる。
【００３９】
第２電源部１０２の充電を終了した制御部３００は、画像形成装置９００の動作状態をスリープモードに移行する（Ｓ５０７）。制御部３００は、スリープモードからの復帰要因があるまで、スリープモードを継続して低消費電力状態となる（Ｓ５０８）。本実施形態では、スリープモードからの復帰要因が節電キー４１８の押下である。制御部３００は、操作部９２０から節電キー４１８が押下されたことを示す信号を受信すると（Ｓ５０８：Y）、スリープモードからスタンバイに復帰する。スタンバイに復帰することで、制御部３００は、第２電源部１０２への充電を再開する。
【００４０】
（シャットダウン時の処理）
図１１は、メインスイッチ１０７をオフにしたときの各切換部のタイミングチャートである。ここでは画像形成装置９００の動作状態がスタンバイであり、第２電源部１０２が充電中である。図４の設定画面により、メインスイッチ１０７をオフにしたときに第２電源部１０２の充電を行うことが設定されているものとする。制御部３００は、メインスイッチ１０７がオフになったことを示す信号を受信したとき、或いはスタンバイが所定時間経過して自動的にシャットダウン処理を行う。
【００４１】
ＣＰＵ１０６は、シャットダウンにより画像形成装置９００が動作停止する前に、第２電源部１０２の充電量が所定量以上になるまで、充電を継続する。つまり第１切換部１０３、第２切換部１０４、第３切換部１０８がオンであり、第４切換部１１４がＡ側と導通する。ＣＰＵ１０６は、電池残量監視部１１０により第２電源部１０２の充電量（電池残量）を監視し、充電量が所定量以上になると第２電源部１０２の充電を終了する。この場合、ＣＰＵ１０６は、第１切換部１０３、第２切換部１０４、及び第３切換部１０８をオフにし、第４切換部１１４をＢ側と導通させる。なお、充電量（電池残量）の閾値となる所定量は、図６のプリントスタート直後の状態で、第２電源部１０２が制御部３００や駆動部４００を駆動するのに十分な電力量である。
【００４２】
図１２は、メインスイッチ１０７をオフにしたときの各切換部のタイミングチャートである。ここでは画像形成装置９００の動作状態がスタンバイであり、第２電源部１０２が充電中である。図４の設定画面により、メインスイッチ１０７をオフにしたときに第２電源部１０２の充電を行わないことが設定されているものとする。制御部３００は、メインスイッチ１０７がオフになったことを示す信号を受信したとき、或いはスタンバイが所定時間経過して自動的にシャットダウン処理を行う。
【００４３】
ＣＰＵ１０６は、シャットダウン処理を開始すると、電池残量監視部１１０の監視結果によらず、第２電源部１０２の充電を直ちに終了する。つまりＣＰＵ１０６は、第１切換部１０３、第２切換部１０４、及び第３切換部１０８をオフにし、第４切換部１１４をＢ側と導通させる。ここで、次の動作時に第２電源部１０２の充電量（電池残量）が不十分である場合、第２電源部１０２は使用できない。その場合、第２電源部１０２を使用せず、第１電源部１０１が制御部３００へ給電する。つまり、図９に示すように、プリントスタート直後に第１切換部１０３及び第３切換部１０８がオンになり、第２切換部１０４はオフになり、第４切換部１１４がＡ側と導通するために、第１電源部１０１が制御部３００へ給電する。
【００４４】
図１３は、スタンバイからシャットダウンを行うときの処理を表すフローチャートである。
【００４５】
制御部３００は、スタンバイで第２電源部１０２に充電を開始する（Ｓ６０２）。第１切換部１０３、第２切換部１０４、第３切換部１０８がオンになり、第２電源部１０２が充電される。第４切換部１１４がＡ側と導通するために、制御部３００は、第１電源部１０１から給電される。メインスイッチ１０７がオフにされるまでスタンバイが継続され、第２電源部１０２が充電される（Ｓ６０３）。メインスイッチ１０７がオフにされた場合（Ｓ６０３：Y）、制御部３００は、シャットダウン時に第２電源部１０２の充電を行うか否かを判断する（Ｓ６０４）。制御部３００は、ＲＡＭ１１８が保存する設定情報を確認してこの判断を行う。
【００４６】
シャットダウン時に充電を行う場合（Ｓ６０４：Y）、制御部３００は、第２電源部１０２の充電量（電池残量）が所定量以上になるまで、第２電源部１０２の充電を継続する（Ｓ６０５）。シャットダウン時に充電を行わない場合（Ｓ６０４：N）、或いは第２電源部１０２の充電量が所定量以上になった場合（Ｓ６０５：Y）、制御部３００は、第２電源部１０２の充電を終了する（Ｓ６０６）。これにより、第１切換部１０３、第２切換部１０４、及び第３切換部１０８がオフになり、第４切換部１１４がＢ側と導通にする。
【００４７】
第２電源部１０２の充電を終了した制御部３００は、画像形成装置９００の動作を停止する（Ｓ６０７）。制御部３００は、メインスイッチ１０７のオンにより再起動されるまで、画像形成装置９００の動作を停止する（Ｓ６０８）。制御部３００は、メインスイッチ１０７がオンされたことを示す信号を受信すると（Ｓ６０８：Y）、起動処理を行う（Ｓ６０９）。起動処理により、画像形成装置９００は、第１切換部１０３、第２切換部１０４、及び第３切換部１０８がオンになり、第４切換部１１４をＡ側と導通してスタンバイに復帰する。これにより制御部３００は、第２電源部１０２への充電を再開する。
【００４８】
以上のような構成の画像形成装置９００は、定着ヒータ１０５の加熱専用に定着電源部１１３を備えるために、定着ヒータ１０５の急速加熱が可能である。また、ユーザによる設定に応じて、スリープモード時やメインスイッチ１０７をオフにするときのような消費電力を削減する電力削減状態のときに、補助電源である第２電源部１０２の充電の継続又は終了が判断される。つまりユーザの設定により、第２電源部１０２の充電完了後にスリープモードやシャットダウンに動作状態が切り替わるか、充電未完であってもスリープモードやシャットダウンに動作状態が切り替わるか、が判断される。第２電源部１０２の充電が未完であっても動作状態をスリープモードやシャットダウンに動作状態を切り替えることが可能であるために、省電力を優先させることができる。
【図１】
2018182843.tif 000003
【図２】
2018182843.tif 000004
【図３】
2018182843.tif 000005
【図４】
2018182843.tif 000006
【図５】
2018182843.tif 000007
【図６】
2018182843.tif 000008
【図７】
2018182843.tif 000009
【図８】
2018182843.tif 000010
【図９】
2018182843.tif 000011
【図１０】
2018182843.tif 000012
【図１１】
2018182843.tif 000013
【図１２】
2018182843.tif 000014
【図１３】
2018182843.tif 000015